(57)【要約】【課題】  手を濡らすことなく簡単に洗米できる構造が簡単でコンパクトな家庭用の卓上米とぎ器を提供する。【解決手段】  所要の側面に取っ手２を備えた卓上載置型の容器１と、これに施蓋される注水部１５とオーバーフロー部１６とを備えた蓋１１とよりなり、この蓋１１にはその表側に、枠状操作ハンドル１７をその両脚端が蓋１１の後部両側面に軸支されて起伏動自在な状態として取付けるとともに、裏側に前記した枠状操作ハンドル１７の起伏動に連動して容器１内で前後方向にスウィングされる攪拌部材１９を垂下させてある。【選択図】    図２
0003104818.tif 000002
【実用新案登録請求の範囲】
【請求項１】
所要の側面に取っ手を備えた卓上載置型の容器と、これに施蓋される注水部とオーバーフロー部とを備えた蓋とよりなり、この蓋にはその表側に、枠状操作ハンドルをその両脚端が蓋の後部両側面に軸支されて起伏動自在な状態として取付けるとともに、裏側に前記した枠状操作ハンドルの起伏動に連動して容器内で前後方向にスウィングされる攪拌部材を垂下させてあることを特徴とする卓上米とぎ器。    
【請求項２】
容器が、透明または半透明の合成樹脂製の前後に長いものであって、その所要側面に計量目盛が設けられている請求項１に記載の卓上米とぎ器。    
【請求項３】
蓋の前端にこの蓋を容器の前端の係止突片に係脱される係止部が設けられるとともに、蓋の後端に前記した容器の取っ手の上面の爪受片に係脱自在なロック爪が設けられている請求項１または２に記載の卓上米とぎ器。
【請求項４】
枠状操作ハンドルが後方に伏倒されて取っ手の上面に達したときに、この枠状操作ハンドルを取っ手の上面に保持する係止部が取っ手の上面に設けられている請求項１〜３のいずれかに記載の卓上米とぎ器。    
【請求項５】
攪拌部材が、蓋の裏側で枠状操作ハンドルの両脚端に連繋されて枠状操作ハンドルの起伏動に連動して正逆回動される軸に攪拌促進用の瘤状突起が配設された複数本の攪拌棒を一体に設けたものである請求項１〜４のいずれかに記載の卓上米とぎ器。    
【請求項６】
注水部とオーバーフロー部とがいずれも目皿状で、注水部は蓋の上面前方部に形成された短筒状部内に設けられ、オーバーフロー部は蓋の前側面に設けられている請求項１〜５のいずれかに記載の卓上米とぎ器。    
【請求項７】
容器はその底部の断面形状が凹弧状で、攪拌部材の長さは凹弧状の底面に対応して中央部分が両側部分より長くしてある請求項１〜６のいずれかに記載の卓上米とぎ器。    
【考案の詳細な説明】
【技術分野】
【０００１】
本発明は手を濡らすことなく簡単に洗米できる家庭用の卓上米とぎ器に関するものである。
【背景技術】
【０００２】
濡らすことなく簡単に洗米できるように、卓上載置型の容器に施蓋されるオーバーフロー部を備えた蓋の裏側にこの蓋の表側に設けた操作ハンドルの回動にともない容器内で回動される攪拌部材を設けた手動式の卓上米とぎ器は既に知られているが、従来のこの種の卓上米とぎ器は、操作ハンドルを前記蓋の中心に設けた軸受部に垂直の回転軸をもって取り付けた回転ハンドルとするとともに、攪拌部材を前記回転ハンドルの脚端に連繋されてこの回転ハンドルの回転操作により容器内で回転する攪拌翼としたものであって、構造が複雑なために高価なうえにコンパクト化できないという問題点をもつものであった。また、洗米は容器内における攪拌翼でのみ行われるため効率的なものではなかった。
【特許文献１】特開平７−２９８９９２号公報
【考案の開示】
【考案が解決しようとする課題】
【０００３】
本考案が解決しようとする問題点は、前記のような問題点を解決して、構造が簡単で安価に提供できるうえにコンパクトであり、手を濡らすことなく簡単に洗米でき、しかも、注水部から供給される水道水の水圧やオーバーフロー部への水流を洗米に有効に作用させて洗米効率を高めた家庭用の卓上米とぎ器を提供することにある。
【課題を解決するための手段】
【０００４】
上記の課題を解決した本考案に係る卓上米とぎ器は、所要の側面に取っ手を備えた卓上載置型の容器と、これに施蓋される注水部とオーバーフロー部とを備えた蓋とよりなり、この蓋にはその表側に、枠状操作ハンドルをその両脚端が蓋の後部両側面に軸支されて起伏動自在な状態として取付けるとともに、裏側に前記した枠状操作ハンドルの起伏動に連動して容器内で前後方向にスウィングされる攪拌部材を垂下させてあることを特徴とするものを基本構成とする。そして、このような卓上米とぎ器においては、容器を透明または半透明の合成樹脂製の前後に長いものとして、その所要側面に計量目盛が設けたものが使用上便利であり、これを請求項２の考案とする。また、前記した各考案において、蓋の前端にこの蓋を容器の前端の係止突片に係脱される係止部を設けるとともに、蓋の後端に前記した容器の取っ手の上面の爪受片に係脱自在なロック爪を設けて、これらの機構によって蓋を容器に的確に固定することにより、取扱時に誤って蓋が外れて米を飛び出すことがないようにしたものとしたり、さらに、前記した各考案において、枠状操作ハンドルが後方に伏倒されて取っ手の上面に達したときに、この枠状操作ハンドルを取っ手の上面に保持する係止部を取っ手の上面に設けておくことにより、枠状操作ハンドルを起伏させるとき以外は枠状操作ハンドルが的確に保持されるようにしてよりコンパクトで体裁のよいものとしたりすることができ、これらを請求項３および請求項４の考案とする。さらにまた、攪拌部材としては、蓋の裏側で枠状操作ハンドルの両脚端に連繋されて枠状操作ハンドルの起伏動に連動して正逆回動される軸に攪拌促進用の瘤状突起が配設された複数本の攪拌棒を一体に設けたものが、操作上も攪拌効率上も好ましく、また、注水部とオーバーフロー部とは、いずれも目皿状として、そのうち注水部は蓋の上面前方部に形成された短筒状部内に設け、一方、オーバーフロー部は蓋の前側面に設けておけば、全体を若干前方に傾斜させて枠状操作ハンドルの起伏動を繰り返すだけで極めて簡単に洗米できることとなり、これらを請求項５および請求項６の考案としている。なお、前記した各考案における容器は、その底部の断面形状を凹弧状とするとともに、攪拌部材の長さを凹弧状の底面に対応して中央部が両側部よりも長くしておくことが洗米効率を高めるうえで特に好ましく、これを請求項７の考案としている。
【考案の効果】
【０００５】
本考案によれば、後部側面に取っ手を備えた卓上載置型の容器に必要量の米を入れたうえ注水部とオーバーフロー部とを備えた蓋を施蓋して流し台の蛇口直下に置き、蛇口より注水部に水道水を供給したうえ枠状操作ハンドルの前後起伏を繰り返せば、容器内で水に浸漬される米は枠状操作ハンドルの起伏操作の繰り返しにより攪拌部材が前後方向にスウィングされることによって的確に攪拌されて自動的に洗米されることとなり、手を濡らすことなく適量の米を簡単に洗米することができる。しかも、注水部から供給される水道水の水圧やオーバーフロー部への水流が洗米に有効作用されるようにしたので洗米効率は極めて高いものである。
しかも、容器の表側の枠状操作ハンドルは前後に起伏動自在で、不要時には取っ手の上面に達するまで後方に伏倒保持された状態にできるから、コンパクトで体裁のよいものとなるうえに、全体の構造が簡単で故障の発生することがなくなるなど多くの利点がある。
【考案を実施するための最良の形態】
【０００６】
次に、本考案を図に基づいて詳細に説明する。
１は後部側面に取っ手２を備えた卓上載置型の容器である。この容器１は透明または半透明のポリプロピレン樹脂などの熱可塑性の合成樹脂製で、その大きさは高さが１００ｍｍ、左右幅が１００ｍｍであるのに対し、前後長が１５０ｍｍと左右幅の１、５倍程度長いものとされていて、その所要側面には米量を示す合やｃｕｐ或いは炊飯に必要とする水量を表示するｍｌなどの計量目盛３が設けられており、また、底部の断面形状は凹弧状とされているため、安定性を保ために前後位置に脚４がＴ状に垂設されている。また、容器１に施蓋される蓋１１を固定する手段として、図示するものでは、容器１の上部前端に蓋１１の前端に設けた係止孔１２に係脱自在な係止突片５を設けるとともに、前記した取っ手２の上辺部の前端に蓋１１の後端に設けたロック爪１３を係止させる係止部６を設けてある。
【０００７】
一方、前記した蓋１１は不透明のポリプロピレン樹脂などの着色した熱可塑性の合成樹脂製の逆皿状で、容器１の上部開口にはめ込まれる短脚部を有しており、また、蓋１１の前半部には周囲に隆設される短筒状部１４に囲まれる目皿状の注水部１５が形成されるとともに前部下方には図示するような目皿状のオーバーフロー部１６が形成されている。さらに、蓋１１の後部側面のハンドル連繋部位にはＡＢＳ樹脂などの合成樹脂の細帯材よりなる枠状操作ハンドル１７がその両脚端の止軸をもって軸支されている。そして、この枠状操作ハンドル１７の起伏動操作を繰り返すと、蓋１１と枠状操作ハンドル１７の連繋部位である両脚端の止軸同士を繋ぐように蓋１１の裏側に張架されている図示しない回動軸が正逆回動されてこれと一体成形された複数本の攪拌棒１８よりなる攪拌部材１９が容器１内で前後にスィングされる。なお、前記した攪拌部材１９の長さは容器１の底部の断面形状に対応させて中央部にある攪拌棒１８を両側の攪拌棒１９より長くしてあり、また、各攪拌棒１９の先端および中間部には所要数の攪拌促進用の瘤状突起２０を配設してある。
【０００８】
このように構成されたものは、先ず、図３に示したように、ロック爪１３の係止部６に対するロックを解いたうえ、係止孔１２と係止突片５との係止を解き、図３に示したように蓋１１を容器１から外し、計量目盛３を目安として容器１の内部に上部開口から所要量の米を入れて再び蓋１１を施蓋したら、係止孔１２を係止突片５に係止させるとともにロック爪１３を係止部６にロックすることにより施蓋状態を的確なものとする。そして、流し台の蛇口下に注水部１５が位置されるように容器１を運んで、図５に示したように、蛇口から注水部１５に水道水を容器１内の米が水に浸されるまで注水したならば、図６に示したように、取っ手２を一方の手で把持して容器１を押さえながら、他方の手で枠状操作ハンドル１７の前後方向への起伏動を繰り返すと、これに連動して容器１の内部で蓋１１の裏側より垂下されている攪拌部材１９は前後方向のスウィングを繰り返すこととなり、この操作を１０〜２０秒程度行って一次洗米を行う。なお、米量が少ない場合には容器１をやや後方に傾けて行うとよい。そして、一次洗米後は容器１の内部の水は白濁するから、図６に示すように、この容器１を前方に傾けて蓋１１の前側面に形成されている目皿状のオーバーフロー部１６からとぎ汁を捨てる。その後は、二次洗米として前記した二次洗米時と同様にして用意１内への注水を行ったうえ枠状操作ハンドル１７を前後に起伏動させて攪拌部材１９を前後方向にスウィングさせ、その繰り返しで水が澄むまで洗米を行う。このようにして洗米を終えたならば、ロック爪１３の係止部６に対するロックを解いたうえ係止孔１２と係止突片５との係止を解いて蓋１１を容器１から外し、計量目盛３を目安とした量の炊飯用水を容器に入れて炊飯器に移せばよい。
【図面の簡単な説明】
【０００９】
【図１】本考案の好ましい実施の形態を示す一部切欠側面図である。
【図２】本考案の好ましい実施の形態を示す図１とは反対面から見た斜視図である。
【図３】本考案の好ましい実施の形態を開蓋途中の状態で示す斜視図である。
【図４】本考案の好ましい実施の形態を開蓋して米を入れる状態で示す斜視図である。
【図５】本考案の好ましい実施の形態を蛇口直下においた状態で示す斜視図である。
【図６】本考案の好ましい実施の形態を洗米操作を行っている状態で示す斜視図である。
【図７】本考案の好ましい実施の形態を排水している状態で示す斜視図である。
【符号の説明】
【００１０】
１  容器
２  取っ手
３  計量目盛
５  係止突片
６  係止部６                                                                    11  蓋
12  係止孔
13  ロック爪
14  短筒状部
15  注水部
16  オーバーフロー部
17  枠状操作ハンドル
18  攪拌棒
19  攪拌部材
20  瘤状突起
【図１】
0003104818.tif 000003
【図２】
0003104818.tif 000004
【図３】
0003104818.tif 000005
【図４】
0003104818.tif 000006
【図５】
0003104818.tif 000007
【図６】
0003104818.tif 000008
【図７】
0003104818.tif 000009